(57)【要約】【課題】溝形成された現像剤担持体を複数の回転体で外側から支持して回転させた際に振動が発生しにくく、現像剤担持体の回転軸の加工を精度高く行うことができる現像剤担持体の製造方法を提供する。【解決手段】円周面に多数の溝を有する金属製の円筒部材の一例であるスリーブ管４１の回転軸線方向の両端に回転軸が配置された現像スリーブ７０の中間体を使用する。現像スリーブ７０の中間体は、スリーブ管４１の端部が円筒状のカバー３６で覆われ、支持ベアリング３１がカバー３６を介してスリーブ管４１の回転中心を位置決めし、駆動ローラ３２がカバー３６を介して支持ベアリング３１に向かってスリーブ管４１を付勢している。このような位置決め状態で回転軸４３の円周面が切削加工又は研削加工される。【選択図】図７
2016177213.tif 000002
【特許請求の範囲】
【請求項１】
円周面に多数の溝を有する金属製の円筒部材の回転軸線方向の両端に回転軸が配置された中間体を使用し、前記中間体の前記回転軸の円周面を加工する現像剤担持体の製造方法であって、
前記中間体の前記円筒部材の端部が円筒状のカバーで覆われ、１以上の回転体が前記カバーを介して前記円筒部材の回転中心を位置決めした状態で前記回転軸の円周面を切削加工又は研削加工することを特徴とする現像剤担持体の製造方法。
【請求項２】
円周面に多数の溝を有する金属製の円筒部材の回転軸線方向の両端に回転軸が配置された中間体を使用し、前記中間体の前記回転軸の円周面を加工する現像剤担持体の製造方法であって、
前記中間体の前記円筒部材の端部が円筒状のカバーで覆われ、一対の回転体が前記カバーを介して前記円筒部材の回転中心を位置決めした状態で前記回転軸の円周面を切削加工又は研削加工することを特徴とする現像剤担持体の製造方法。
【請求項３】
前記円筒部材が挿入される前の前記カバーの内径が前記円筒部材の外径以下であって、
前記円筒部材の回転中心を位置決めした状態では、前記一対の回転体に向かって前記円筒部材を付勢するように、１以上の回転体が前記カバーを介して前記円筒部材を押圧していることを特徴とする請求項２に記載の現像剤担持体の製造方法。
【請求項４】
前記円筒部材が挿入される前の前記カバーの内径が前記円筒部材の外径より大きく、
前記円筒部材の回転中心を位置決めした状態では、前記円筒部材の回転軸線方向の前記カバーから外れた位置で、前記一対の回転体に向かって前記円筒部材を付勢するように、１以上の弾性回転体が前記円筒部材を押圧していることを特徴とする請求項２に記載の現像剤担持体の製造方法。
【請求項５】
前記円筒部材は、前記溝に対応する突起が形成されたダイスを用いて金属材料を押し出し加工又は引き抜き加工することにより形成されたものであることを特徴とする請求項２乃至４のいずれか１項に記載の現像剤担持体の製造方法。
【請求項６】
前記円筒部材は、前記溝に対応する突起が形成されたダイスを用いて金属材料を押し出し加工又は引き抜き加工することにより形成された円筒材料を現像剤担持体において必要な長さに切断したものであることを特徴とする請求項５に記載の現像剤担持体の製造方法。
【請求項７】
前記円筒部材は、前記円筒部材の円周面を基準にして前記円筒部材の円周面を研削加工する芯無加工が施されていることを特徴とする請求項５又は６に記載の現像剤担持体の製造方法。
【請求項８】
前記中間体は、前記円筒部材の端部の内周面に形成した段差部に、前記回転軸を有するフランジを挿入されていることを特徴とする請求項２乃至７のいずれか１項に記載の現像剤担持体の製造方法。
【請求項９】
円周面に多数の溝を有する金属製の円筒部材と、
前記円筒部材の両端から回転軸線方向に突出し、前記円筒部材と一体に回転する回転軸と、
前記円筒部材の回転軸線方向の端部に挿入された円筒状のカバーと、を備えることを特徴とする現像剤担持体。
【請求項１０】
円周面に多数の溝を有する金属製の円筒部材と、
前記円筒部材の両端から回転軸線方向に突出し、前記円筒部材と一体に回転する回転軸と、を備え、
前記円筒部材の回転軸線方向における端部の前記溝は、前記円筒部材の回転軸線方向における前記端部よりも内側の前記溝よりも摩耗していることを特徴とする現像剤担持体。
【請求項１１】
円周面に多数の溝を有する金属製の円筒部材と、
前記円筒部材の両端から回転軸線方向に突出し、前記円筒部材と一体に回転する回転軸と、を備え、
前記円筒部材の回転軸線方向における端部の前記溝にはカバーの材料が付着しているが、前記円筒部材の回転軸線方向における端部よりも内側の前記溝にはカバーの材料が付着していないことを特徴とする現像剤担持体。
【請求項１２】
前記円筒部材の回転軸線方向における端部の前記溝には弾性回転体の材料が付着していないが、前記円筒部材の回転軸線方向における端部よりも内側の前記溝には、弾性回転体の材料が付着していることを特徴とする請求項９乃至１１のいずれか１項に記載の現像剤担持体。
【請求項１３】
前記円筒部材の断面の一周における真円度の誤差分布と前記回転軸の断面の一周における真円度の誤差分布とが相似形であることを特徴とする請求項９乃至１２のいずれか１項に記載の現像剤担持体。
【発明の詳細な説明】
【技術分野】
【０００１】
本発明は、円周面に現像剤を担持して回転し、像担持体との対向部へ現像剤を搬送して静電潜像をトナー像に現像する現像剤担持体の製造方法に関する。
【背景技術】
【０００２】
回転する現像剤担持体の円周面にトナーを含む現像剤を磁気的に担持させて、現像剤担持体と像担持体の対向部へ現像剤を搬送することにより、静電潜像をトナー像に現像する画像形成装置が広く用いられている。
【０００３】
画像形成装置における現像剤担持体と像担持体の対向距離の変動は、現像剤担持体から像担持体へトナーを移動させる電界の強度を変動させるので、現像されたトナー像において、現像剤担持体の回転周期の濃度変動をもたらす可能性がある。
【０００４】
このため、現像剤担持体は、それ自体の真円度とともに、円周面に対する回転軸の取り付け位置精度及び回転軸の回転軸線に対する傾き精度が求められる（特許文献１）。
【０００５】
そこで、特許文献２では、両端に回転軸が接続された現像剤担持体の円形の断面を外側から３個の回転体で支持して回転させた状態で、回転軸の周面を切削加工することにより、円周面と回転軸の軸ずれ及び回転軸の傾きを修正する方法が提案されている。ここでは、現像剤担持体の円周面を基準とした回転軸の仕上げ加工を行うことで、円周面の回転軸線に回転軸の回転軸線を一致させている。
【０００６】
一方、従来の現像剤担持体の製造方法では、現像剤担持体の円周面に対してガラスビーズを用いたサンドブラスト処理を行っている。サンドブラスト処理によって、円周面に現像剤粒子の平均径レベルの凹凸を一様に形成することで、現像剤担持体の円周面における現像剤粒子の担持性能を高めることができるからである。
【０００７】
そして、現像剤担持体の円周面をサンドブラスト処理する場合には、後述するように、サンドブラスト処理の前でも後でも現像剤担持体の両端の回転軸を特許文献２に示されるように、切削加工することができる。
【先行技術文献】
【特許文献】
【０００８】
【特許文献１】特開２０００−１２７００６号公報
【特許文献２】特開２００４−６６３９５号公報
【発明の概要】
【発明が解決しようとする課題】
【０００９】
しかし、サンドブラスト処理では、金属表面にガラスビーズの被弾によって、凹凸を形成する加工と凹凸を均す加工とが同時に進行するため、振幅の大きな凹凸を形成することができない。このため、現像剤担持体の円周面が現像装置の内部で、現像剤との摩擦に晒されて次第に摩耗してくると、凹凸が浅くなって現像剤の担持性能が低下する。その結果、静電潜像を現像したトナー像の濃度が低下したり、画像の濃度変動が発生し易くなったりする。
【００１０】
そこで、現像剤担持体の円周面に、サンドブラスト処理による凹凸の代わりに、高密度で規則的な溝を形成することが検討された。サンドブラスト処理による凹凸よりも深い溝を現像剤担持体の表面に形成することで、摩耗を経ても現像剤を保持するために十分な振幅の凹凸が残るようにする。
【００１１】
そして、現像剤担持体に組み立てた後に現像剤担持体の円周面に溝を形成するのは時間とコストがかかるため、最初から円周面に溝が形成された長尺の円筒材料を必要な長さに切断して現像剤担持体に組み立てることが検討された。そして、全長にわたって溝が形成された円筒材料の両端にフランジ付き回転軸を固定する。その後、溝が形成された現像剤担持体の円周面を複数の回転体で支持して、円周面を基準とした回転軸の仕上げ加工を行う。
【００１２】
しかし、円周面に溝が形成された現像剤担持体は、上述した回転軸の仕上げ加工を精度高く行うことができないことが判明した。円周面に溝が形成された現像剤担持体の円形の断面を外側から複数の回転体で支持して回転させると、回転体が溝を乗り越えるときに現像剤担持体に振動が発生する。現像剤担持体が振動している状態では、回転軸に対して切削加工を高精度に行うことができない。
【００１３】
本発明は、外周面に溝が形成された現像剤担持体を複数の回転体で外側から支持して、現像剤担持体の回転軸の加工を精度高く行うことができる現像剤担持体の製造方法を提供することを目的としている。
【課題を解決するための手段】
【００１４】
本発明の現像剤担持体の製造方法は、円周面に多数の溝を有する金属製の円筒部材の回転軸線方向の両端に回転軸が配置された中間体を使用し、前記中間体の前記回転軸の円周面を加工する物の製造方法である。そして、前記中間体の前記円筒部材の端部が円筒状のカバーで覆われ、１以上の回転体が前記カバーを介して前記円筒部材の回転中心を位置決めした状態で前記回転軸の円周面を切削加工又は研削加工する。
【発明の効果】
【００１５】
本発明の現像剤担持体の製造方法によれば、溝形成された現像剤担持体を複数の回転体で外側から支持して回転させた際に振動が発生しにくいため、現像剤担持体の回転軸の加工を精度高く行うことができる。
【図面の簡単な説明】
【００１６】
【図１】画像形成装置の構成の説明図である。
【図２】現像装置の構成の説明図である。
【図３】現像スリーブの説明図である。
【図４】ＳＤギャップの変動に起因する画像の濃度ムラの説明図である。
【図５】比較例１の現像スリーブの製造方法の説明図である。
【図６】比較例２の現像スリーブの製造方法の説明図である。
【図７】実施の形態１の現像スリーブの製造方法の説明図である。
【図８】実施の形態１の変形例における突起の説明図である。
【図９】実施の形態２の現像スリーブの製造方法の説明図である。
【図１０】支持ベアリングと駆動ローラの配置の説明図である。
【図１１】実施の形態３の現像スリーブの製造方法の説明図である。
【図１２】支持ベアリングと駆動ローラの配置の説明図である。
【図１３】現像スリーブと回転軸とにおける断面の真円度誤差の説明図である。
【発明を実施するための形態】
【００１７】
以下、図面を参照して本発明の実施形態を詳細に説明する。
【００１８】
＜実施の形態１＞
（画像形成装置）
図１は画像形成装置の構成の説明図である。図１に示すように、画像形成装置６０は、中間転写ベルト６１の下向き面に沿って、画像形成部１０Ｙ、１０Ｍ、１０Ｃ、１０Ｂｋを配列したタンデム型中間転写方式のフルカラープリンタである。
【００１９】
画像形成部１０Ｙでは、感光ドラム１Ｙにイエロートナー像が形成されて中間転写ベルト６１に転写される。画像形成部６０Ｍでは、感光ドラム１Ｍにマゼンタトナー像が形成されて中間転写ベルト６１に転写される。画像形成部６０Ｃ、６０Ｂｋでは、それぞれ感光ドラム１Ｃ、１Ｂｋにシアントナー像、ブラックトナー像が形成されて中間転写ベルト６１に転写される。
【００２０】
中間転写ベルト６１に転写された四色のトナー像は、二次転写部Ｔ２へ搬送されて記録材Ｓへ二次転写される。分離ローラ６３は、記録材カセット６２から引き出した記録材Ｓを１枚ずつに分離して、レジストローラ６５へ送り出す。レジストローラ６５は、中間転写ベルト６１のトナー像にタイミングを合わせて記録材Ｓを二次転写部Ｔ２へ送り込む。四色のトナー像を二次転写された記録材Ｓは、定着装置９で加熱加圧を受けて表面にトナー像を定着された後、排出ローラ６９によって排出トレイ６８へ排出される。
【００２１】
画像形成部１０Ｙ、１０Ｍ、１０Ｃ、１０Ｂｋは、それぞれの現像装置３で用いるトナーの色がイエロー、マゼンタ、シアン、ブラックと異なる以外は、ほぼ同一に構成される。以下では、画像形成部１０Ｂｋについて説明し、他の画像形成部１０Ｙ、１０Ｍ、１０Ｃについて重複する説明を省略する。
【００２２】
画像形成部１０Ｂｋは、感光ドラム１Ｂｋを囲んで、帯電装置２、露光装置６、現像装置３、転写ローラ４、ドラムクリーニング装置５を配置している。感光ドラム１Ｂｋは、アルミニウム製シリンダの外周面に感光層を形成しており、所定のプロセススピードで回転する。
【００２３】
帯電装置２は、負極性の直流電圧に交流電圧を重畳した振動電圧を帯電ローラに印加して、感光ドラム１Ｂｋを一様な負極性の電位に帯電させる。露光装置６は、ブラックの画像を展開した走査線画像信号をＯＮ−ＯＦＦ変調したレーザービームを回転ミラーで走査して、感光ドラム１Ｂｋの表面に画像の静電像を書き込む。現像装置３は、トナーを感光ドラム１Ｂｋに移転させて静電像をトナー像に現像する。画像形成によって現像装置３で消費されたトナー量に見合った量の新しいトナーが、トナーカートリッジ６４から不図示のトナー搬送経路を経て現像装置３に供給される。
【００２４】
転写ローラ４は、中間転写ベルト６１を押圧して、感光ドラム１Ｂｋと中間転写ベルト６１の間にトナー像の転写部を形成する。転写ローラ４に正極性の直流電圧が印加されることにより、感光ドラム１Ｂｋに担持された負極性のトナー像が中間転写ベルト６１へ転写される。ドラムクリーニング装置５は、感光ドラム１Ｂｋにクリーニングブレードを摺擦させて、感光ドラム１Ｂｋの表面に付着した転写残トナーを除去する。
【００２５】
中間転写ベルト６１は、テンションローラ７ｃ、二次転写対向ローラを兼ねた駆動ローラ６６、及び張架ローラ７ａ、７ｂに掛け渡して支持され、駆動ローラ６６に駆動されて矢印Ｃ方向に回転する。二次転写ローラ６７は、駆動ローラ６６に内周面を支持された中間転写ベルト６１に当接して二次転写部Ｔ２を形成する。二次転写ローラ６７に正極性の直流電圧が印加されることで、中間転写ベルト６１上のトナー像が記録材Ｓへ二次転写される。ベルトクリーニング装置８は、中間転写ベルト６１にクリーニングブレードを摺擦させて、中間転写ベルト６１の表面の転写残トナーを回収する。
【００２６】
（現像装置）
図２は現像装置の構成の説明図である。図２に示すように、現像装置３は、トナーとキャリアを含む二成分現像剤を使用する二成分現像方式である。現像容器２０の内部は、隔壁２０ｈによって第一搬送室２１と第二搬送室２２とに仕切られている。第一搬送室２１と第二搬送室２２とは、隔壁２０ｈの長手方向の両端部に形成された不図示の開口部によって連結されて現像剤の循環路を形成している。
【００２７】
第一搬送室２１には第一搬送スクリュー２３が配置される。第二搬送室２２には第二搬送スクリュー２４が配置される。第一搬送スクリュー２３と第二搬送スクリュー２４とが回転して逆方向に現像剤を搬送することで、現像剤が攪拌を受けつつ第一搬送室２１と第二搬送室２２とを循環する。
【００２８】
現像容器２０の中には重量比で８〜１２％のトナーと約９０％のキャリアを含む現像剤（二成分現像剤）が収納されている。現像剤のトナーとキャリアは、第一搬送室２１を搬送される過程で十分に攪拌されて摩擦帯電し、キャリアがプラス、トナーがマイナスに帯電する。第二搬送室２２には、第二搬送スクリュー２４と平行に現像剤担持体の一例である現像スリーブ７０が配置されている。第二搬送スクリュー２４は、第二搬送室２２の現像剤を搬送しつつ現像スリーブ７０に供給する。
【００２９】
現像スリーブ７０は、アルミニウムの薄肉の円管で構成されて矢印Ｄ方向に回転するスリーブ管４１の内側に、周面に複数の磁極を配置した非回転のマグネット７１を配置している。マグネット７１は、スリーブ管４１の表面の各位相位置に所望の磁界を形成してスリーブ管４１に現像剤を担持させる。
【００３０】
第二搬送スクリュー２４から供給された現像剤は、マグネット７１の磁束によって現像スリーブ７０の表面に担持されて矢印Ｄ方向に搬送される。感光ドラム１と現像スリーブ７０の対向位置にはマグネット７１の磁極が配置されるので、対向位置では、トナーを担持したキャリアが磁気穂となって立ち上がり、磁気ブラシを形成して感光ドラム１の表面を摺擦する。この状態で、直流電圧に交流電圧を重畳した振動電圧を現像スリーブ７０に印加することで、トナーが感光ドラム１に移転して感光ドラム１の静電像がトナー像に現像される。
【００３１】
現像スリーブ７０の回転方向における感光ドラム１との対向位置の上流側に、スリーブホルダフレーム２７が配置されて現像スリーブ７０に対向している。スリーブホルダフレーム２７は、現像スリーブ７０が現像剤を搬送する際のガイドとなる現像剤整流部２５と、現像スリーブ７０に担持される現像剤の層厚を規制する層厚規制部２６と、を有する。現像剤整流部２５と層厚規制部２６とは、樹脂成形されたスリーブホルダフレーム２７が有する形状として一体に構成されている。
【００３２】
現像剤整流部２５では、現像剤がくさび状の空間に押し込まれて小さな循環ループを形成し、現像剤が現像スリーブ７０の表面を摺擦する。層厚規制部２６と現像スリーブ７０の対向位置にはマグネット７１の磁極が配置されているので、両者の対向位置では、トナーを担持したキャリアが磁気穂となって立ち上がる。そして、層厚規制部２６によって磁気穂が層厚規制部２６と現像スリーブ７０の対向間隔の長さに切り揃えられる。
【００３３】
（現像スリーブ）
図３は現像スリーブの説明図である。図４はＳＤギャップの変動に起因する画像の濃度ムラの説明図である。
【００３４】
現像スリーブ７０は、アルミニウム合金やステンレス鋼などの金属材料で厚さ１ｍｍ、直径１６ｍｍの円筒状に形成されている。現像スリーブ７０は、精密な円筒状に外周面が加工された回転自在なスリーブ管４１の内側に、非回転のマグネット７１が配置されている。スリーブ管４１の端部にフランジ４４が挿入され、フランジ４４の中心に回転軸４３が固定されている。現像スリーブ７０は、回転軸４３が軸受を介して現像装置３の現像容器３０に支持されている。マグネット７１は、スリーブ管４１の内部でフランジ４４に配置された軸受によってスリーブ管４１に対する相対回転が可能に支持されている。
【００３５】
現像スリーブ７０と感光ドラム１は、所定の対向距離（ＳＤギャップと呼ぶ）で対向している。回転軸４３は、感光ドラム１の周面に摺擦するスペーサ１２に設けられた軸受１３によって回転自在に支持されている。このため、仮に回転軸４３の回転軸線とスリーブ管４１の回転軸線とが平行に距離δずれていると、現像スリーブ７０の一回転において、ＳＤギャップが距離δの２倍変化する。現像スリーブ７０に担持されたトナーが感光ドラム１へ移転する量は、現像スリーブ７０と感光ドラム１との間に形成される電界に応じて変化する。現像スリーブ７０の一回転において、ＳＤギャップが周期的に変動すると、現像スリーブ７０と感光ドラム１との間に形成される電界が強くなったり、弱くなったりする。同一の静電潜像であっても、電界が強くなったタイミングではトナーが多く現像され、電界が弱くなったタイミングではトナーが少なく現像される。
【００３６】
回転軸４３の回転軸線とスリーブ管４１の回転軸線とが平行にずれている場合、均一濃度の全面画像あるいはハーフトーン画像において、図４に示すような、現像スリーブ７０の回転周期の縞模様が発生することがある。このため、現像装置３における現像スリーブ７０の回転精度は、画像形成装置６０の出力画像の品質に大きく影響する。
【００３７】
図４に示す縞模様の濃度ムラを低減するには、ＳＤギャップに印加される電界を安定させる必要がある。回転軸４３とスリーブ管４１とが平行でない場合、交差角度を持つ場合等も、場所ごとのＳＤギャップの変動を引き起こして出力画像の濃度ムラとなる。
【００３８】
また、現像スリーブ７０の円周面の振れは、層厚規制部２６における現像スリーブ７０と層厚規制部２６の対向間隔（ＳＢギャップと呼ぶ）の周期的変動を引き起こす。ＳＢギャップの変動は、現像スリーブ７０に担持される現像剤量を変動させるため、これによっても出力画像の濃度ムラが発生してしまう。
【００３９】
画像形成装置の出力画像における画像濃度の面内均一性の向上、ピッチムラの低減を実現させるためには、ＳＤギャップに形成される電界を安定化させる必要がある。そして、「現像スリーブ７０の円周面の振れ」は、縞模様の濃度ムラの要因の一つであって、大きなウエイトを占めている。「現像スリーブ７０の円周面の振れ」は、スリーブ管４１の円筒体として真直度、スリーブ管４１の外周の真円度、スリーブ管４１に対する両端の回転軸４３の同軸度、スリーブ管４１の回転軸線に対する両端の回転軸４３の回転軸線の傾きに関係している。
【００４０】
そこで、「現像スリーブ７０の円周面の振れ」を減少させるために、次のような加工技術が実用化されている。ここでは、所定の真円度に加工された現像スリーブ７０の外周面を複数の回転体で支持して回転させた状態で、回転軸４３の外周面を現像スリーブ７０の外周面と同心状に切削加工している。これにより、スリーブ管４１に対する両端の回転軸４３の同軸度を修正し、スリーブ管４１の回転軸線に対する両端の回転軸４３の回転軸線の傾きを解消している。
【００４１】
（比較例１の製造方法）
図５は比較例１の現像スリーブの製造方法の説明図である。
【００４２】
比較例１では、サンドブラスト処理により現像スリーブの表面に現像剤を搬送するための凹凸を形成している。
【００４３】
図５の（ａ）に示すように、スリーブ管４１となる筒状素材は、３片のアルミニウム板を熱間で貼り合わせて円筒に成形後、円形のダイスを用いた押し出し加工または引き抜き加工によって、ほぼ所望の内径及び外径を有する円筒状に成形されている。円筒状に成形された筒状素材を所望の長さに切断してスリーブ管４１とする。
【００４４】
図５の（ｂ）に示すように、スリーブ管４１の長手方向の一方の端部に第１のフランジ部材Ｆａを圧入するための挿入孔４１ａを形成して、挿入孔４１ａに第１のフランジ部材Ｆａを圧入する。この時点で、回転軸４３に対するスリーブ管４１の振れ精度は３０μｍ程度である。
【００４５】
図５の（ｃ）に示すように、芯無加工（センターレス加工）を施して、スリーブ管４１の円周面４１ｂを仕上げ加工してゆがみ等を取り除く。その後、スリーブ管４１の他方の端部に機械加工を行って第２のフランジ部材Ｆｂを圧入するための挿入孔４１ａを形成する。芯無加工では、例えば、特許文献１に示されるように、一対の回転砥石（又は回転砥石とゴムローラ）の対向面上にスリーブ管４１を載置し、スリーブ管４１が自転を伴って周面が研削されるように、一対の回転砥石を回転させる。
【００４６】
図５の（ｄ）に示すように、加工後、洗浄工程を経て、現像スリーブ７０の円周面４１ｂにサンドブラスト処理などの表面処理を施す。
【００４７】
図５の（ｅ）に示すように、サンドブラスト処理後、フランジ部材Ｆａの挿入孔４４ａに軸受４４ｂを取り付ける。そして、スリーブ管４１の他方の端部側からマグネットローラ７１を装入して一方の端部を軸受４４ｂで支持させる。さらに、スリーブ管４１の他方の端部の挿入孔４１ａに第２のフランジ部材Ｆｂを焼き嵌めする。
【００４８】
図５の（ｆ）に示すように、現像スリーブ７０の円周面４１ｂが所定の真円度（５μｍ以下）に加工されていても、一対の回転軸４３を基準とする現像スリーブ７０全体の円周面４１ｂの振れ量は、２０μｍから３０μｍ程度にも達している。このため、このままでは、出力画像に濃度ムラが少ない画像形成装置６０において現像スリーブ７０に要求される精度を満たさない。
【００４９】
そこで、図５の（ｇ）に示すように、組み立て終わった現像スリーブ７０の両端部を、２個の支持ベアリング３１と１個の駆動ローラ３２とで外側からそれぞれ支持して回転させた状態で、両端の回転軸４３の外周面を切削加工する。これにより、回転軸４３を基準とした現像スリーブ７０の外周面の振れを８μｍ〜１５μｍまで修正している。
【００５０】
これにより、両端の回転軸４３の外周面が現像スリーブ７０の円周面４１ｂと同心状になり、現像スリーブ７０の回転軸線に対する一対の回転軸４３の回転軸線の偏心及び傾きが修正される。現像スリーブ４０の円周面４１ｂの振れが解消されて、出力画像にピッチムラが出なくなる。
【００５１】
（比較例２の製造方法）
図６は比較例２の現像スリーブの製造方法の説明図である。
【００５２】
比較例１で製造された現像スリーブ７０は、アルミニウムの表面にサンドブラスト処理で凹凸を形成しているので、十点平均粗さＲｚが１０μｍ前後である。このような凹凸は、画像形成の累積に伴って次第に削れて、現像スリーブ７０の現像剤の搬送性が低下する。
【００５３】
そこで、現像スリーブ７０の現像剤の搬送性を安定化させ長寿命化する手法として、サンドブラスト処理を、溝形成に置き換えることが提案されている。２０〜２００μｍ程度の比較的に深い溝を現像スリーブ７０の円周面に形成することで、累積画像形成枚数で評価した現像スリーブ５０の交換寿命を、サンドブラスト処理の５０万枚から１００万枚以上へと改善することができる。
【００５４】
スリーブ管４１の円周面に２０〜２００μｍ程度の比較的に深い溝を形成しようとする場合、押し出し加工や引き抜き加工を行ってパイプ材料を形成する際に、使用するダイスに予め溝に対応する突起を設けておく方法が好ましい。パイプ材料の形成と同時に溝形成が行われるからである。そして、溝形成されたパイプ材料を必要な長さに切断してスリーブ管４１を形成し、現像スリーブ７０に組み立てた後に、図５の（ｆ）に示すように、両端の回転軸４３を切削加工して「現像スリーブ７０の円周面の振れ」を解消させることが望ましい。
【００５５】
しかし、溝形成された現像スリーブ７０の場合、図５の（ｆ）に示すように、現像スリーブ７０の円周面４１ｂを複数の支持ベアリング３１及び駆動ローラ３２で支持して回転させると、円周面４１ｂの溝が邪魔をして安定した回転ができない。スリーブ管４１の回転に伴って支持ベアリング３１とスリーブ管４１との間に振動が発生する。支持ベアリング３１とスリーブ管４１とは、互いの円周面が円周上の一点で接して転動しているため、スリーブ管４１の回転に伴って支持ベアリング３１が溝に落ちるごとに転動の中心が失われ、転動の中心が溝を超えた前方へ移動する。現像スリーブ７０の転動が途切れて不連続になり、支持ベアリング３１とスリーブ管４１の中心距離が変動するため、支持ベアリング３１に支持されたスリーブ管４１に振動が発生する。
【００５６】
このような状態では、当然、回転軸４３の切削加工の加工精度が低下する。そこで、比較例２の現像スリーブの製造方法では、スリーブ管４１の回転軸線方向の両端部に円周面を形成し、この円周面を利用して回転軸４３の切削加工を行っている。
【００５７】
図６の（ａ）に示すように、アルミニウムのパイプ材料の引き抜き加工又は押し出し加工において、溝４１ｍに対応する突起を内周面に設けたダイス（金型）を使用し、引き抜き加工又は押し出し加工に伴ってパイプ材料に溝４１ｍを形成する。その後、パイプ材料を所定長さ（３２０ｍｍ）に切断してスリーブ管４１を製作する。
【００５８】
図６の（ｂ）に示すように、スリーブ管４１を旋盤にチャックして、回転軸線方向の両端部の２０ｍｍの範囲を溝４１ｍが無くなるまで切削加工して、溝４１ｍが形成されていない溝無し面４１ｃを形成する。
【００５９】
図６の（ｃ）に示すように、スリーブ管４１の内部にマグネット７１を回転可能に収容し、スリーブ管４１の両端にフランジ部材Ｆａ、Ｆｂを固定して現像スリーブ７０を組み立てる。
【００６０】
図６の（ｄ）に示すように、スリーブ管４１の溝４１ｍが無い溝無し面４１ｃを支持ベアリング３１、３２で支持して現像スリーブ７０を回転させた状態で回転軸４３を切削加工する。
【００６１】
比較例２の製造方法では、溝４１ｍが形成されていない溝無し面４１ｃに対して中心位置と傾きとを修正した回転軸４３が削り出される。そのため、溝無し面４１ｃとスリーブ管４１の円周面４１ｂとの間に中心位置のずれや回転軸線の傾きがあった場合、「現像スリーブ７０の円周面の振れ」を解消できない。
【００６２】
図６の（ｂ）に示すように、溝無し面４１ｃを旋盤で切削加工する際には、溝無し面４１ｃとスリーブ管４１の円周面４１ｂの中心位置がずれないように、スリーブ管４１を旋盤の回転軸に対して高精度にチャック（加工目的の取り付け）する必要がある。この作業には大変な時間がかかるため、現像スリーブ７０の量産において比較例２の製造方法は現実的でなかった。
【００６３】
このように、現像スリーブ７０の円周面の現像剤の担持性能を高める方法を、従来のサンドブラスト処理から、溝加工されたスリーブ管４１の使用に変更すると、「現像スリーブ７０の円周面の振れ」をうまく解消できなかった。現像スリーブ７０の現像剤の搬送性能を安定させて交換寿命が延びる一方で、出力画像の濃度均一性の向上、ピッチムラ画像の低減に課題を残していた。
【００６４】
（実施の形態１の加工方法）
図７は実施の形態１の現像スリーブの製造方法の説明図である。上述したように、スリーブ管４１の円周面４１ｂを支持ベアリング３１及び駆動ローラ３２により支持して回転させた場合、円周面４１ｂに溝４１ｍがあるためにスリーブ管４１に振動が発生する。そこで、実施の形態１では、図７の（ｄ）に示すように、現像スリーブ７０の支持ベアリング３１及び駆動ローラ３２に支持される領域にカバー３６を被せて、支持ベアリング３１及び駆動ローラ３２に溝４１ｍが接触しないようにした。
【００６５】
図７の（ａ）に示すように、スリーブ管４１のパイプ材料は、３片のアルミニウム板を貼り合わせて円筒に成形後、押し出し加工又は引き抜き加工によって、所望の内外径を有して円周面４１ｂに溝を形成された円筒状に形成されている。スリーブ管４１の円周面４１ｂには、母線に沿ったピッチが１００μｍ、深さが５０μｍのＶ字型断面の溝４１ｍが形成されている。アルミニウムのパイプ材料は、引き抜き加工又は押し出し加工において、溝４１ｍに対応する三角形の突起を内周面に設けたダイス（金型）を使用しているため、引き抜き加工又は押し出し加工に伴ってパイプ材料に溝４１ｍが形成される。その後、パイプ材料を所定長さ（３２０ｍｍ）に切断してスリーブ管４１を製作している。
【００６６】
図７の（ｂ）に示すように、スリーブ管４１の内部にマグネット７１を回転可能に収容し、スリーブ管４１の両端にフランジ部材Ｆａ、Ｆｂを固定して、現像スリーブ７０を組み立てる。現像スリーブ７０の回転軸線方向の両端部に、中心に回転軸４４が固定されたフランジ４４が圧入される。現像スリーブ７０の組み立て後、現像スリーブ７０は、上述した芯無加工（センターレス加工）を施して、円周面４１ｂの歪みを取り除く。現像スリーブ７０の円周面４１ｂを上述したように研削して、圧入等で生じた真円度の歪みを修正している。
【００６７】
ただし、この状態では、スリーブ管４１の回転軸線と回転軸４４の回転軸線とは、位置が最大２０μｍずれて相対的に傾いているため、スリーブ管４１に合せて回転軸４４の外周面を削り直す必要がある。
【００６８】
図７の（ｃ）に示すように、円周面４１ｂに溝４１ｍが無い状態で現像スリーブ７０を支持ベアリング（３１）により支持させるため、現像スリーブ７０の回転軸線方向の両端部に厚さが均一なカバー３６が圧入装着される。カバー３６の厚さは５０μｍ、材質はステンレスＳＵＳ３０４である。カバー３６の内径は、スリーブ管４１の外径より数μｍ〜数１０μｍ小さい。このため、カバー３６をスリーブ管４１に装着したとき、スリーブ管４１の円周面４１ｂの上に厚さが均一で密着したステンレス層が形成され、カバー３６の表面は、溝４１ｍに起因する凹凸の無い滑らかな円周面になっている。
【００６９】
図７の（ｄ）に示すように、回転軸４３の削り直しを行う工程では、現像スリーブ７０のカバー３６が被せられた部分を一対の支持ベアリング３１と駆動ローラ３２によって外側から支持する。支持ベアリング３１は、ステンレスの金属ローラであり、駆動ローラ３２は、スリップの回避と振動吸収性能を考慮して、金属ローラの外周面に厚さ１ｍｍのゴム弾性層を形成したゴムローラとした。ただし、駆動ローラ３２のゴム層の圧縮変形が回転軸４３の加工誤差にならないように、切削工具３５で切り込む方向は、切削抵抗の反力が作用する接線方向に支持ベアリング３１が配置されているように定めている。
【００７０】
この状態で、不図示のモータを作動させて駆動ローラ３２を回転させることにより、現像スリーブ７０を回転させる。切削工具３５を回転軸４３の表面に浅く切り込ませて、スリーブ管４１の回転軸線方向にゆっくりと移動させることにより、回転軸４３の円周面がカバー３６の円周面４１ｂに合せて削り直される。削り直された回転軸４３の回転軸線は、カバー３６の外周面の回転軸線と一致して相対的な傾き角度も解消されるので、「現像スリーブ７０の円周面の振れ」が小さくなる。
【００７１】
カバー３６は、薄くて、現像スリーブ７０に圧入されているので、回転軸４３の削り直し後に、取り外して再利用することが難しい。そこで、回転軸４３の削り直し後、カバー３６がついたそのままの状態で現像スリーブ７０として使用される。図２に示すように、現像装置３は、二成分現像装置であって、現像スリーブ７０と感光ドラム１の対向間隔が３００μｍあるので、厚さ１０μｍ程度のカバー３６は何ら問題とならない。
【００７２】
実施の形態１では、現像スリーブ７０の端部に厚さが均一なカバー３６を装着することで、溝４１ｍに支持ベアリング３１が落ちて現像スリーブ７０が振動することがなくなり、回転軸４３の切削加工による精度出しが不具合なく行える。カバー３６を用いた回転軸３４の削り直しによって、現像スリーブ７０の円周面４１ｂに対する回転軸３４の同軸度は０〜５μｍにまで改善した。回転軸３４で支持して回転させた際の現像スリーブ７０の円周面４１ｂの振れは１０μｍ以下になった。同軸度の加工誤差が０〜５μｍという小さい値に収まることによって、出力画像の画像濃度の面内均一性が向上して、ピッチムラ画像が観察されなくなった。
【００７３】
以上説明したように、実施の形態１では、円周面に多数の溝を有する金属製の円筒部材の一例であるスリーブ管４１の回転軸線方向の両端に回転軸が配置された現像スリーブ７０の中間体を使用する。そして、現像スリーブ７０の中間体は、スリーブ管４１の端部が円筒状のカバー３６で覆われ、一対の回転体の一例である支持ベアリング３１がカバー３６を介してスリーブ管４１の回転中心を位置決めしている。このような位置決め状態でスリーブ管４１の両端から突出した回転軸４３の円周面が切削加工又は研削加工される。
【００７４】
（実施の形態１の変形例）
図８は実施の形態１の変形例における突起の説明図である。実施の形態１では、回転軸４３の切削加工時にカバーが伸びてスリップする場合があった。そこで、カバー３６の支持ベアリング３１に接触しない部分の内側面に突起３６ａを形成してスリップ止めとした。
【００７５】
図３に示すように、溝４１ｍを有するスリーブ管４１の端部に、一周にわたって厚さが均一なカバー３６を挿入している。カバー３６は、スリーブ管４１に接する内周面に１つ以上の突起３６ａを有する。突起３６ａがスリーブ管４１の円周面４１ｂの溝４１ｍに嵌ることで、現像スリーブ７０に対してカバー３６がスリップしにくくなる。
【００７６】
（実施の形態１の効果）
実施の形態１では、円周面に溝があるとできなかった「現像スリーブの円周面を基準にした回転支持により円周面と中心軸とを同軸化する加工が可能になる。基準となるべき所定の真円度に加工された現像スリーブ７０を、複数の回転体によって円周面４１ｂで支持して回転させた状態で、振動を発生することなく回転軸４３の円周面を削り直すことができる。その結果、寿命と精度を兼ね備えた現像スリーブ７０の量産が可能になる。回転軸４３の回転中心とスリーブ管４１の回転中心とを精度高く一致させ、両者の回転軸線の相対的な傾きを解消することができる。
【００７７】
実施の形態１では、サンドブラスト処理した現像スリーブに比較して寿命が長い溝形成した現像スリーブ７０において、回転精度を向上し、長期に渡って安定的に画像濃度の面内均一性を向上させてピッチムラ画像を低減することができる。溝形成した現像スリーブ７０を搭載することで、現像装置、プロセスカートリッジにおける現像の均一性が高まり、画像形成装置における出力画像の濃度ムラが少なくなる。
【００７８】
実施の形態１では、スリーブ管４１は、溝に対応する突起が形成されたダイスを用いて金属材料を押し出し加工又は引き抜き加工することにより形成された円筒材料を所定長さに切断したものである。このため、溝を低コストに形成できる。
【００７９】
実施の形態１では、スリーブ管４１は、スリーブ管４１の円周面を基準にしてスリーブ管４１の円周面を研削加工する芯無加工が施されている。このため、スリーブ管４１の円周面の真円度が高められる。
【００８０】
現像スリーブ７０の中間体は、スリーブ管４１の端部の内周面に形成した段差部に、回転軸４３を有するフランジを挿入されている。このため、回転軸を回転軸線方向に精度高く位置決めできる。
【００８１】
＜実施の形態２＞
図９は実施の形態２の現像スリーブの製造方法の説明図である。図１０は支持ベアリングと駆動ローラの配置の説明図である。
【００８２】
実施の形態１では、カバー３６は、現像スリーブ７０の端部に圧入装着されるので、カバー３６を無傷で抜き取ることが難しく、抜き取ったカバー３６を、カバー３６として再利用することが困難である。また、完成した現像スリーブ７０の外観としては、カバー３６は、無い方が好ましい。そこで、実施の形態２では、カバー３６の内径を現像スリーブ７０の外径より大きくして、カバー３６との間に十分な隙間を持たせた。そして、大きなカバー３６の内側で現像スリーブ７０をガタつきなく支持するために、図９に示すように、駆動ローラ３２をカバー３６から外れた位置に配置した。
【００８３】
図１０に示すように、カバー３６の外径は、溝形成された現像スリーブ７０の外径よりも５μｍ以上、好ましくは２０μｍ〜４０μｍ大きい。現像スリーブ７０に対してカバー３６は、抜き差しできる程度の挿入ガタをもっている。
【００８４】
カバー３６は、その円周のどの部分をとっても厚さが一定で、周方向にはしなやかに曲がるが、溝４１ｍのような短周期の急峻な不連続面には追従しない。カバー３６は、ステンレスＳＵＳ３０４からなる無端ベルトで厚さが３０μｍ、回転軸線方向の幅が１０ｍｍである。
【００８５】
現像スリーブ７０が挿入されたカバー３６の周面に当接させて２個の支持ベアリング３１が配置される。駆動ローラ３２は、カバー３６の装着領域よりも回転軸線方向の内側に配置した。駆動ローラ３２は、直径２０ｍｍの金属ローラの外周面に厚さ１ｍｍのゴム弾性層を形成したゴムローラである。
【００８６】
駆動ローラ３２は、溝形成された現像スリーブ７０の円周面に直接接触して現像スリーブ７０を回転駆動する。駆動ローラ３２は、現像スリーブ７０に形成された溝の深さに比較して十分厚い弾性層を有するため、溝の凹凸は、現像スリーブ７０の振動を引き起こさない。
【００８７】
現像スリーブ７０が矢印Ｄ方向に回転すると、切削工具３５には矢印Ｅ方向の切削抵抗が作用する。このとき、回転軸４３には矢印Ｆ方向の下向きの加圧力が作用して現像スリーブ７０が一対の支持ベアリング３１に押し付けられる。現像スリーブ７０の全体は両端一対ずつの合計４個の支持ベアリング３１によって高さ方向に位置決めされている。
【００８８】
図１０に示すように、現像スリーブ７０には、下向きの加圧力がかかっているので、現像スリーブ７０の断面は、下側の支持ベアリング３１の２点Ｐ３１に位置決められ、駆動ローラ３２の弾性層によって位置ずれ、振動等を発生しない。このため、高精度に回転軸４３の円周面を切削加工して、現像スリーブ７０の円周面４１ｂと同心に仕上げることができる。
【００８９】
＜実施の形態３＞
図１１は実施の形態３の現像スリーブの製造方法の説明図である。図１２は支持ベアリングと駆動ローラの配置の説明図である。
【００９０】
実施の形態３では、実施の形態２よりも厚みが大きくて、剛性の高いカバー３６を使用した。その結果、現像スリーブ７０の支持が少し不安定になったので、図１１に示すように、駆動ローラ３２と対称な位置に付勢ローラ３８を配置して、現像スリーブ７０の円周上の２点を支持ベアリング３１に向かって押圧する構成とした。
【００９１】
図１１に示すように、カバー３６は、その円周のどの部分をとっても厚さが一定の真円形状であって、その真円形状がほとんど変化しない実質的に剛体とみなせる材料を使用している。カバー３６は、ここでは、ステンレスＳＵＳ３０４の厚さ０．８ｍｍ、幅１０ｍｍのリングである。
【００９２】
実施の形態２と同様に、一対の支持ベアリング３１を、現像スリーブ７０の端部が挿入されたカバー３６の円周面に当接させて、現像スリーブ７０の断面を位置決めている。現像スリーブ７０の全体は、両端一対ずつの合計４個の支持ベアリング３１によって支持されている。
【００９３】
駆動ローラ３２及び付勢ローラ３８は、表面に弾性層を配置して同一に形成されている。駆動ローラ３２及び付勢ローラ３８は、現像スリーブ７０の溝４１ｍが形成された円周面４１ｂに直接接触して、現像スリーブ７０を支持ベアリング３１に向かって付勢する。カバー３６は、内側面に現像スリーブ７０が押し付けられたときに、現像スリーブ７０の円周面４１ｂに沿って変形しないため、カバー３６の内側で現像スリーブ７０の回転断面が前後方向へ移動する余地がある。そのため、実施の形態３では、現像スリーブ７０を支持ベアリング３１へ向かって押圧する駆動ローラ３３及び付勢ローラ３８を配置して、現像スリーブ７０の回転断面が前後方向へ移動する余地を無くした。
【００９４】
図１２に示すように、このようにすることで、駆動ローラ３３及び付勢ローラ３８の反対側の点Ｑ３１が不動点となって、現像スリーブ７０の回転位置が変動しなくなる。また、点Ｑ３１と記述しているが、ほぼ径の等しい円が内接する点のことなので、現像スリーブ７０の円周面４１ｂが駆動ローラ３３及び付勢ローラ３８の反対側の面全体で接することと等価になる。このため、円周面４１ｂに溝４１ｍが形成されていても、カバー３６が溝４１ｍに落ちて現像スリーブ７０の回転中心位置を移動させるような動きは発生しない。このため、現像スリーブ７０の断面を安定して保持して、回転軸４３の円周面をスリーブ管４１の円周面４１ｂと同軸加工することができる。
【００９５】
ただし、不図示のモータに接続されて現像スリーブ７０を回転駆動するローラは、駆動ローラ３３のみとした。付勢ローラ３８は、カバー３６の回転に伴って従動回転する。駆動ローラ３３は、１個あれば、現像スリーブ７０回転駆動が可能になるからである。
【００９６】
このようにすることで、カバー３６は、スリーブ管４１への抜き差しが容易になり、繰り返し使用することが可能になった。そして、カバー３６の繰り返し使用を可能にしながら、出力画像の濃度の面内均一性を向上させてピッチムラ画像を低減させることができる。
【００９７】
＜製造方法の特定方法＞
図１３は現像スリーブと回転軸とにおける断面の真円度誤差の説明図である。図１３中、（ａ）は芯無加工、（ｂ）は円周面の真円度の測定結果、（ｃ）は回転軸の真円度の測定結果である。
【００９８】
実施の形態２、３では、加工工程でカバーが装着されるが、製造された現像スリーブにはカバーが装着されていないため、カバーを装着して回転軸を仕上げ加工したか否かを判断することは難しい。しかし、使用した材料が比較的に柔らかいアルミニウムであるため、加工工程におけるカバーの装着の有無をカバーが装着されていない現像スリーブにおいて判断可能である。
【００９９】
図１３の（ａ）に示すように、実施の形態１乃至３では、現像スリーブ７０の組み立て後に芯無加工（センターレス加工）によってスリーブ管４１の断面の真円度の歪みを修正している。このため、図１３の（ｂ）に示すように、真円度測定器を用いてスリーブ管４１の円周面４１ｂの真円度を測定すると、芯無加工に特有の連続的な誤差分布曲線が現れる。円周面４１ｂの輪郭形状は、芯無加工の履歴を少なからずもっており、円周面４１ｂの輪郭をデフォルメすると略三角のおにぎり形状に１〜５μｍ程度の偏りを持った形状となっている。なお、真円度測定器は、同軸度、真円度の測定に用いられる汎用製品であり、ここでは、東京精密株式会社のロンコム５５Ａを使用した。
【０１００】
そして、回転軸４３の仕上げ工程では、修正された円周面４１ｂの断面の円形状を基準にして、両端の回転軸４３の円周面を切削加工している。このため、真円度測定器を用いて回転軸４３の輪郭の真円度を測定すると、図１３の（ｃ）に示すように、円周面４１ｂのものと相似形状の誤差分布曲線が現れる。
【０１０１】
図１３の（ｂ）、（ｃ）に示す誤差分布曲線は、輪郭の一周における角度位置ごとの半径を誇張して描いたものである。実施の形態２、３では、円周面４１ｂの断面の円形状を基準にして回転軸４３を切削加工しているため、真円度測定器を用いて誤差分布曲線を測定すると、両者の重心位置のずれ量（同軸度）は５μｍ以内に収まっている。しかし、円周面４１ｂの断面の円形状を基準にした切削加工に起因して、円周面４１ｂの輪郭に残っている真円からの歪みが、回転軸４３の断面形状にそのままトレースされている。円周面４１ｂの溝４１ｍではない部分を結んだ包絡線としての円形の輪郭線は、芯無加工を施した後であっても、真円からの偏りが数μｍ程度残っている。円周面４１ｂの断面の周方向の角度位置ごとの真円からのずれ量は、回転軸４３の断面の周方向の角度位置ごとの真円からのずれ量にほぼ等しい。すなわち、スリーブ管４１の断面の一周における真円度の誤差分布と回転軸の断面の一周における真円度の誤差分布とが相似形である。
【０１０２】
ただし、支持ベアリング３１の位置と切削工具３５の位置との周方向の位相差に応じて、両者のずれ量の増減位置は周方向にずれている。回転軸４３の加工時の切削工具の位置により、両者の角度位置にずれは生じるが、真円からの偏りの角度位相周期は円周面４１ｂと回転軸４３の円周面とで同一となる。
【０１０３】
このため、円周面４１ｂと回転軸４３の輪郭を真円度測定器を用いて測定して、両者の誤差分布曲線が相似形であれば、円周面４１ｂの断面の円形状を基準にして回転軸４３の円周面を切削加工していることが明らかになる。「同軸度」と「真円からの偏りの角度位相周期」の２点を検証すれば、実施の形態２、３の加工方法を実施したか否かの検証が可能である。
【０１０４】
そして、円周面４１ｂに予め溝４１ｍが形成されている場合には、円周面４１ｂの断面の円形状を基準にして回転軸４３の円周面を形成することは容易でないから、カバー３６が使用されたと推論できる。また、アルミニウムに比較して硬いステンレスのカバー３６が押圧された現像スリーブ７０の円周面４１ｂは、溝４１ｍが部分的に変形しているため、カバー３６が装着された領域を見分けることができる。また、樹脂材料等のアルミニウムよりも柔らかい材料のカバー３６が使用された場合には、カバー３６の材料の一部が円周面４１ｂに付着している場合がある。また、実施の形態２、３では、駆動ローラに用いたゴムローラのゴム屑がスリーブ管４１ｂの溝４１ｍに付着している場合がある。
【０１０５】
なお、円周面４１ｂの誤差分布曲線と回転軸４３の誤差分布曲線とが、仮に１８０度ずれていたとしても、真円度が十分に高ければ、現像スリーブ７０の回転に伴う感光ドラム１と現像スリーブ７０の対向間隔の変動は許容範囲である。それぞれの真円からの最大変位が５μｍ程度であれば、画像濃度の周期的変動は許容範囲とされている。ただし、円周面４１ｂの誤差分布曲線と回転軸４３の誤差分布曲線との位相差は、３０°以下であることが望ましく、回転軸４３の仕上げ加工時に、そのように切削工具３５を接触させることが望ましい。
【０１０６】
また、上述した三角形のおにぎり型の誤差分布曲線の場合は、円周面４１ｂの誤差分布曲線と回転軸４３の誤差分布曲線が１２０°±３０°ずれるように回転軸４３の仕上げ加工時に切削工具３５を接触させることが望ましい。一般化するとＮ角形ならば、（３６０°／Ｎ）ずれていても良い。
【０１０７】
実施の形態１では、スリーブ管４１が挿入される前のカバー３６の内径がスリーブ管４１の外径以下である。そして、スリーブ管４１の回転中心を位置決めした状態では、支持ベアリング３１に向かってスリーブ管４１を付勢するように、１以上の回転体の一例である駆動ローラ３２がカバー３６を介してスリーブ管４１を押圧している。このようにして形成された現像スリーブ７０は、スリーブ管４１の回転軸線方向の端部に円筒状のカバーが挿入されている。
【０１０８】
実施の形態２では、スリーブ管４１が挿入される前のカバー３６の内径がスリーブ管４１の外径よりも大きい。そのため、カバー３６を介して押圧された部分の溝がつぶれていたり、摩耗していたりする場合がある。そして、スリーブ管４１の回転中心を位置決めした状態では、スリーブ管４１の回転軸線方向のカバー３６から外れた位置で、弾性回転体の一例である駆動ローラ３２がスリーブ管４１を押圧している。駆動ローラ３２は、支持ベアリング３１に向かってスリーブ管４１を付勢してスリーブ管４１の回転軸線を支持ベアリング３１に対して位置決めする。このようにして形成された現像スリーブ７０は、スリーブ管４１の回転軸線方向における端部の溝にカバー３６の材料が付着している場合がある。あるいは、スリーブ管４１の回転軸線方向における端部よりも内側の溝に、弾性回転体の一例である駆動ローラ３２の材料が付着している場合がある。
【０１０９】
＜その他の実施の形態＞
実施の形態１では、二成分現像剤を用いる現像装置の現像スリーブの実施形態を説明したが、本発明は、一成分現像剤を用いる現像装置の現像スリーブで実施してもよい。画像形成装置６０は、トナー像の形成／転写に係る主要部のみを説明するが、本発明は、必要な機器、装備、筐体構造を加えて、プリンタ、各種印刷機、複写機、ＦＡＸ、複合機等、種々の用途で実施できる。
【０１１０】
現像装置は、感光ドラムと現像スリーブとが非接触であれば、非磁性トナーに磁性キャリアを混合した二成分現像方式には限らない。現像スリーブと感光ドラムの対向位置において、現像スリーブの回転に伴う対向距離の変動が問題となるすべての現像装置で実施できる。例えば、磁性トナーを使用する磁性一成分現像方式、更には非磁性トナーのみを用いる非磁性一成分現像方式であってもよい。現像スリーブと感光ドラムの対向距離の変動が現像されたトナー像のトナー載り量の変動に結びつく画像形成装置において本発明を実施可能である。
【０１１１】
実施の形態２、３の製造方法によって製造される現像スリーブ７０は、両端部に溝が残った形状となるので、現像剤の漏れ防止（シール性向上）のために、回転軸４３の仕上げ加工後、図６に示すように、溝の深さ分外周面を切削加工してもよい。ただし、このように形成された溝無し部分は、回転軸４３の円周面の加工の基準面ではない。
【０１１２】
回転軸４３の円周面の仕上げ加工において、切削工具３５を用いた切削加工は、回転砥石を用いた研削加工に置き換えてもよい。カバー３６の材質及び厚みは上述した数値には限られない。
【０１１３】
カバー３６を介して現像スリーブ７０を支持する支持ベアリング３１の個数は１でもかまわない。ただし、支持の安定性を考慮すれば、２個以上が好ましい。支持ベアリング３１の直径は、大きいほうが現像スリーブ７０の支持精度が高まるが、作業性と切削部の視認性、切削工具の移動範囲等を考慮すれば、現像スリーブ７０の直径程度であることが好ましい。
【０１１４】
現像スリーブ７０の回転駆動は、２個以上の駆動ローラを用いて行っても良く、フレキシブルな回転伝達手段を介して回転軸４３を直接に回転駆動してもよい。また、回転軸４３の仕上げ加工の前に行う円周面４１ｂの芯無加工（センターレス加工）は省略してもよい。
【符号の説明】
【０１１５】
１、１Ｙ、１Ｍ、１Ｃ、１Ｂｋ  感光ドラム
３、３Ｙ、３Ｍ、３Ｃ、３Ｂｋ  現像装置
１０Ｙ、１０Ｍ、１０Ｃ、１０Ｂｋ  画像形成部
１２  スペーサ、２０  現像容器、２０ｈ  隔壁
２１  第一搬送室、２２  第二搬送室
２３  第一搬送スクリュー、２４  第二搬送スクリュー
２５  現像剤整流部、２６  層厚規制部、２７  スリーブホルダフレーム
３１  支持ベアリング、３２  駆動ローラ、３５  切削工具
３６  カバー、３８  付勢ローラ
４１  スリーブ管、４１ａ  挿入孔、４１ｂ  円周面、４１ｃ  溝無し面
４１ｍ  溝、４３  回転軸  ４４  フランジ
７０  現像スリーブ、７１  マグネット
【図１】
2016177213.tif 000003
【図２】
2016177213.tif 000004
【図３】
2016177213.tif 000005
【図５】
2016177213.tif 000006
【図６】
2016177213.tif 000007
【図７】
2016177213.tif 000008
【図８】
2016177213.tif 000009
【図９】
2016177213.tif 000010
【図１０】
2016177213.tif 000011
【図１１】
2016177213.tif 000012
【図１２】
2016177213.tif 000013
【図１３】
2016177213.tif 000014
【図４】
2016177213.tif 000015